(57)【要約】【目的】  オープニング、エンディングを自動的にスキップする「記録媒体の再生方法及び再生装置」を提供することである。  【構成】  各話がオープニング、本編、エンディングで構成され、各話の映像が一つのタイトルとして連続して記録された記録媒体（例えばDVD）の再生に際して、オープニング、エンディングの再生スキップが指示されているか調べ、オープニング、エンディングの再生スキップが指示されている場合には、該オープニングあるいはエンディングをスキップして本編の再生を行う。この場合、各話のオープニングあるいはエンディングが一致するかチェックし、一致する場合には後から再生するオープニングあるいはエンディングをスキップして本編の再生を行う。【選択図】        図３
2006324971.tif 000002
【特許請求の範囲】
【請求項１】
複数話の各話の映像が一つのタイトルとして記録された記録媒体の再生方法において、
オープニング、エンディングの再生スキップが指示されているか調べ、
オープニング、エンディングの再生スキップが指示されている場合には、該オープニングあるいはエンディングをスキップして本編の再生を行う、
ことを特徴とする記録媒体の再生方法。
【請求項２】
オープニング、エンディングの再生スキップが指示されている場合、１回目のオープニングあるいはエンディングは再生し、2回目以降のオープニングあるいはエンディングをスキップして本編の再生を行う、
ことを特徴とする請求項１記載の記録媒体の再生方法。
【請求項３】
複数話の各話の映像が一つのタイトルとして記録された記録媒体の再生装置において、
オープニング、エンディングの再生スキップを指示する指示部、
オープニング、エンディングの再生スキップが指示されている場合には、該オープニングあるいはエンディングをスキップして本編の再生を行う制御部、
を備えたことを特徴とする記録媒体の再生装置。
【請求項４】
複数話の各話の映像が一つのタイトルとして記録された記録媒体の再生方法において、
オープニング、本編、エンディングで構成された各話のタイトルの該オープニングあるいは該エンディングが一致するかチェックし、
一致する場合には後から再生するオープニングあるいはエンディングをスキップして本編の再生を行う、
ことを特徴とする記録媒体の再生方法。
【請求項５】
前記記録媒体に記録されている各タイトルの再生アドレスを特定するナビゲーションデータを参照して、各タイトルのオープニングあるいはエンディングが記録されているアドレスが一致するかチェックし、
一致する場合にはオープニングあるいはエンディングが一致すると判定する、
ことを特徴とする請求項４記載の記録媒体の再生方法。
【請求項６】
前記記録媒体に記録されているナビゲーションデータを参照して、オープニングあるいは該エンディングの再生時間が許容差範囲内で一致するかチェックし、
異なる場合にはオープニングあるいはエンディングが異なると判定する、
ことを特徴とする請求項４記載の記録媒体の再生方法。
【請求項７】
前記記録媒体に記録されているナビゲーションデータを参照して、オープニングあるいはエンディングの再生時間が許容差範囲内で一致する場合において、オープニングあるいはエンディングの同一時刻における画像データが一致するかチェックし、
一致する場合にはオープニングあるいはエンディングが一致すると判定する、
ことを特徴とする請求項６記載の記録媒体の再生方法。
【請求項８】
オープニングあるいはエンディングの同一時刻における画像データが一致しなければ、
複数の時刻における画像データの中央部分の輝度レベルを求め、
各時刻における画像データの中央部分の輝度レベルの差が小さければオープニングあるいはエンディングが一致すると判定し、輝度レベルの差が大きければオープニングあるいはエンディングは異なると判定する、
ことを特徴とする請求項７記載の記録媒体の再生方法。
【請求項９】
複数話の各話の映像が一つのタイトルとして記録された記録媒体の再生装置において、
記録媒体から記録データを読み出す読出し部、
読み出した記録データからナビゲーションデータを抽出する信号処理部、
該ナビゲーションデータを参照して、オープニング、本編、エンディングで構成された各話のタイトルの該オープニングあるいは該エンディングが一致するかチェックし、一致する場合には後から再生するオープニングあるいはエンディングをスキップして本編の再生を行うよう制御する制御部、
を供えたことを特徴とする記録媒体の再生装置。
【請求項１０】
前記制御部は、各タイトルの再生アドレスを特定する前記ナビゲーションデータを参照して、各タイトルのオープニングあるいはエンディングが記録されているアドレスが一致するかチェックし、一致する場合にはオープニングあるいはエンディングが一致すると判定することを特徴とする請求項９記載の記録媒体の再生装置。
【請求項１１】
前記制御部は、前記ナビゲーションデータを参照して、オープニングあるいはエンディングの再生時間が許容差範囲内で一致するかチェックし、異なる場合にはオープニングあるいはエンディングが異なると判定し、オープニングあるいはエンディングの再生時間が許容差範囲内で一致する場合において、オープニングあるいはエンディングの同一時刻における画像データが一致するかチェックし、一致する場合にはオープニングあるいはエンディングが一致すると判定することを特徴とする請求項１０記載の記録媒体の再生装置。
【請求項１２】
前記制御部は、オープニングあるいはエンディングの同一時刻における画像データが一致しなければ、複数の時刻における画像データの中央部分の輝度レベルを求め、各時刻における画像データの中央部分の輝度レベルの差が小さければオープニングあるいはエンディングが一致すると判定し、輝度レベルの差が大きければオープニングあるいはエンディングは異なると判定することを特徴とする請求項１１記載の記録媒体の再生装置。
【発明の詳細な説明】
【技術分野】
【０００１】
本発明は、記録媒体の再生方法及び再生装置に係わり、特に複数話の各話の映像が一つのタイトルとして記録され、各タイトルがオープニング、本編、エンディングで構成されている場合におけるオープニングあるいはエンディングの再生方法及び再生装置に関する。
【背景技術】
【０００２】
連続ドラマやアニメなどを記録したDVDディスク等では、一枚のDVDディスクに複数話が記録されており、各話はオープニング、本編、エンディングで構成されている、このため各話を連続して見る場合、ユーザは各話毎にオープニングとエンディングを見ることになり煩わしいかぎりであり、特に各話のオープニングとエンディングが同じ時には２回目以降のオープニングとエンディングを見ても意味が無く、ユーザは手動でスキップ操作（チャプターアップ操作）を行ってオープニング、エンディングをスキップしている。
記録媒体に記録した画像リストをメモリに記憶しておき、該リストから所望の画像を選択して表示する従来技術（例えば特許文献1参照）やCMをカットして録画する従来技術はあるが、オープニング、エンディングを自動的にスキップする従来技術は存在しない。
【特許文献１】特開２００２−１９７３１２号公報
【発明の開示】
【発明が解決しようとする課題】
【０００３】
以上から本発明の目的はオープニング、エンディングを自動的にスキップすることである。
本発明の別の目的は、同一のオープニング、エンディングを自動的にスキップすることである。
【課題を解決するための手段】
【０００４】
本発明は、複数話の各話の映像が一つのタイトルとして記録された記録媒体の再生方法及び再生装置である。
第１の再生方法において、オープニング、エンディングの再生スキップが指示されているか調べ、オープニング、エンディングの再生スキップが指示されている場合には、該オープニングあるいはエンディングをスキップして本編の再生を行う。この場合、１回目のオープニングあるいはエンディングは再生し、2回目以降のオープニングあるいはエンディングをスキップして本編の再生を行う。
第２の再生方法において、オープニング、本編、エンディングで構成された各話のタイトルの該オープニングあるいは該エンディングが一致するかチェックし、一致する場合には後から再生するオープニングあるいはエンディングをスキップして本編の再生を行う。この場合、各タイトルの再生アドレスを特定するナビゲーションデータを参照して、各タイトルのオープニングあるいはエンディングが記録されているアドレスが一致するかチェックし、一致する場合にはオープニングあるいはエンディングが一致すると判定する。あるいは、記録媒体に記録されているナビゲーションデータを参照して、オープニングあるいはエンディングの再生時間が許容差範囲内で一致するかチェックし、異なる場合にはオープニングあるいは該エンディングが異なると判定し、許容差範囲内で一致する場合には、オープニングあるいはエンディングの同一時刻における画像データが一致するかチェックし、一致する場合にはオープニングあるいはエンディングが一致すると判定する。また、オープニングあるいはエンディングの同一時刻における画像データが一致しなければ、複数の時刻における画像データの中央部分の輝度レベルを求め、各時刻における画像データの中央部分の輝度レベルの差が小さければオープニングあるいはエンディングが一致すると判定し、輝度レベルの差が大きければオープニングあるいはエンディングは異なると判定する。
本発明の第１の記録媒体の再生装置は、オープニング、エンディングの再生スキップを指示する指示部、オープニング、エンディングの再生スキップが指示されている場合には、該オープニングあるいはエンディングをスキップして本編の再生を行う制御部を備えている。
本発明の第２の記録媒体の再生装置は、記録媒体から記録データを読み出す読出し部、読み出した記録データからナビゲーションデータを抽出する信号処理部、該ナビゲーションデータを参照して、オープニング、本編、エンディングで構成された各話のタイトルの該オープニングあるいは該エンディングが一致するかチェックし、一致する場合には後から再生するオープニングあるいはエンディングをスキップして本編の再生を行うよう制御する制御部を備えている。
【発明の効果】
【０００５】
本発明によれば、オープニング、エンディングの再生スキップが指示されているか調べ、オープニング、エンディングの再生スキップが指示されている場合には、該オープニングあるいはエンディングをスキップして本編の再生を行うようにしたから、オープニング、エンディングをスキップ指示しておくだけでこれらを見ないようにでき、しかも自動的にスキップできるため操作性を向上することができる。
また、本発明によれば、オープニング、本編、エンディングで構成された各話のタイトルの該オープニングあるいは該エンディングが一致するかチェックし、一致する場合には後から再生するオープニングあるいはエンディングをスキップして本編の再生を行うようにしたから、最初のオープニングあるいはエンディングのみを再生し、他の同一オープニングあるいはエンディングを自動的にスキップすることができる。
【発明を実施するための最良の形態】
【０００６】
各話がオープニング、本編、エンディングで構成され、各話の映像が一つのタイトルとして連続して記録された記録媒体（例えばDVD）の再生に際して、オープニング、エンディングの再生スキップが指示されているか調べ、オープニング、エンディングの再生スキップが指示されている場合には、該オープニングあるいはエンディングをスキップして本編の再生を行う。この場合、１回目のオープニングあるいはエンディングは再生し、2回目以降のオープニングあるいはエンディングをスキップして本編の再生を行う。
また、各話がオープニング、本編、エンディングで構成され、各話の映像が一つのタイトルとして連続して記録された記録媒体（例えばDVD）の再生に際して、各話のタイトルの該オープニングあるいは該エンディングが一致するかチェックし、一致する場合には後から再生するオープニングあるいはエンディングをスキップして本編の再生を行う。
【実施例】
【０００７】
(a)ナビゲーションデータとプレゼンテーションデータ
現状のDVDビデオプレーヤはDVDビデオ規格に基づいてコーディングされたDVDビデオディスクを再生する。DVDビデオディスクには最大99タイトルまで記録可能であり、各タイトルに応じてビデオ情報、複数言語（例えば８カ国語）の音声/オーディオ情報、複数言語のサブピクチャ(字幕スーパ等)が記録され、ユーザ指示に基づいて所定の映像/所定言語のオーディオ/所定言語のサブピクチャの再生出力が行われるようになっている。
DVDビデオディスクには大別すると２つのタイプのデータが記録されている。第１のタイプはナビゲーションデータ(Navigation Data)であり、第２のタイプはプレゼンテーションデータ(Presentation Data)である。ナビゲーションデータは再生制御データの一般名称であり、プレゼンテーションデータは再生されるビデオ／オーディオ／サブピクチャ等の一般名称である。
DVDビデオプレーヤにおいてユーザが指示するオペレーションはタイトル選択、チャプター選択、音声選択、サブピクチャ（字幕）選択などである。DVDビデオプレーヤはナビゲーションデータを参照してユーザ指示に応じたプレゼンテーションデータ（ビデオ／オーディオ／サブピクチャ）を検索して再生する。
また、連続ドラマやアニメなどを記録したDVDディスク等では、一枚のDVDディスクに複数話が記録され、各話は１タイトルを構成しオープニング、本編、エンディングを含んでいる。DCD再生装置はナビゲーションデータにしたがって一話より連続してオープニング、本編、エンディングを再生する。
【０００８】
図１は一話より最終話まで連続してオープニング、本編、エンディングの再生を指示するナビゲーションデータの例で、(a)はナビゲーションデータ、（b）はプレゼンテーションデータである。図1の例では、各話共通に１つのオープニング用MPEGデータOMD及びエンディング用MPEGデータEMDを使用するようになっている。すなわち、図１において、プレゼンテーションデータは、
オープニング用MPEGデータOMD→エンディング用MPEGデータEMD→第１話の本編MPEGデータSTR1 MD→・・・・→第６話（最終話）の本編MPEGデータSTR6 MD
の順序で記録されている。また、ナビゲーションデータ用MPEGデータは一話より連続してオープニング、本編、エンディングを再生するように、
オープニング用MPEGデータのアドレスOA（再生時間を含む以下同様）→第１話の本編MPEGデータのアドレスSTR1A→エンディング用MPEGデータのアドレスEA→・・・→オープニング用MPEGデータのアドレスOA→第６話の本編MPEGデータのアドレスSTR6A→エンディング用MPEGデータのアドレスEA
が記録されている。
図1の例では、ナビゲーションデータが指示する各話（タイトル）のオープニングあるいはエンディングのアドレスが一致するかチェックし、一致する場合にはオープニングあるいはエンディングが一致すると判定できる。
【０００９】
図２は一話より最終話まで連続してオープニング、本編、エンディングの再生を指示するナビゲーションデータの別の例であり、(a)はナビゲーションデータ、（b）はプレゼンテーションデータである。図２では、各話のオープニング用のMPEGデータOMD及びエンディング用MPEGデータEMDは別のアドレスに記録されている。すなわち、図２において、プレゼンテーションデータは、
オープニング用MPEGデータOMD1→第１話の本編MPEGデータSTR1 MD→エンディング用MPEGデータEMD1→・・・→オープニング用MPEGデータOMD6→第６話（最終話）の本編MPEGデータSTR6 MD→エンディング用MPEGデータEMD6
の順序で記録されている。また、ナビゲーションデータは一話より連続してオープニング、本編、エンディングを再生するように、
オープニング用MPEGデータのアドレスOA1→第１話の本編MPEGデータのアドレスSTR1A→エンディング用MPEGデータのアドレスEA1→・・・・→オープニング用MPEGデータのアドレスOA6→第６話の本編MPEGデータのアドレスSTR6A→エンディング用MPEGデータのアドレスEA6
が記録されている。
図2の例では、オープニングあるいはエンディングの再生時間が許容差範囲内で一致してなければ、オープニングあるいは該エンディングは異なると判定でき、許容差範囲内で一致し、かつ、オープニングあるいはエンディングの同一時刻における画像データが一致する場合にはオープニングあるいはエンディングは一致すると判定できる。
【００１０】
（b）DVD再生装置の構成
図3は本発明のＤＶＤ再生装置の構成図である。DVDオーディオディスク51から光ピックアップ52により読み取られた信号はRFアンプ53に入力する。RFアンプ53は入力信号をRF増幅して次段に出力するとともに、トラッキングエラー信号TES、フォーカシングエラー信号FESを生成してサーボ制御部54に入力する。サーボ制御部54は、トラッキングエラー信号TESを用いて送りモータ55を駆動してトラッキングサーボ制御すると共に、システムコントローラからの指示に基づいて光ピクアップ52をディスク半径方向に移動して所定の位置に位置決めする。また、サーボ制御部54は、フォーカシングエラー信号FESを用いてアクチュエータを駆動して光ピックアップ52の焦点がディスク面に一致するように（合焦点位置になるように）フォーカスサーボ制御する。さらに、サーボ制御部54は、スピンドルモータ56を周速一定回転制御する。
デジタル信号処理部57は、RAM 58を用いてDVD変調信号の復調処理や誤り訂正処理、デジタル認証処理、次段へのビットストリーム（DVDデータ)の転送処理等を行う。ストリーム分離及び解析部59はDVDデータのストリームの解析を行い、ナビゲーションデータをシステムコントローラ60に入力すると共に 、システムコントローラ60からの指示に基づいてビデオデータ（主映像）、所定言語の副映像（字幕）、 所定言語のオーディオデータをそれぞれ分離して出力する。また、ストリーム分離及び解析部59はオープニング、エンディングの同一性を判定するためにMPEGビデオデータをシステムコントローラ60に入力するようになっている。
【００１１】
システムコントローラ60は、各部を制御すると共に、ナビゲーションデータや設定データに基づいてDVD再生時における再生音声、字幕、メニュー言語を決定する制御し、また、再生順序の制御やオープニング、エンディングのスキップ制御を行う。
オーディオデコーダ61はRAM 62を用いてMPEG圧縮オーディオデータをPCMオーディオデータに復元して出力し、DA変換器67はPCMオーディオデータをアナログに変換して出力する。ビデオデコーダ63はRAM 64を用いて主映像のMPEGビデオデータを復元して出力し、サブピクチャデコーダ65はRAM 66を用いて副映像（字幕）の圧縮を復元して出力する。ビデオプロセッサ68は主映像と副映像を重ね合わせてビデオエンコーダ69に入力し、ビデオエンコーダ69は入力映像信号をNTSC方式あるいはPAL方式の信号にエンコードして表示系デバイス70に入力する。表示系デバイス70は入力された映像をディスプレイ画面に表示する。
操作部71はシステムコントローラ60に各種の操作入力を行う。たとえば、DVD再生開始時におけるメニュー言語、再生音声の種別、字幕を入力すると共に、オープニング/エンディングのスキップを指示する。記憶部（RAM）72はDVDから読取ったナビゲーションデータNVDTを保存すると共に、オープニング/エンディングのスキップ指示に基づいて編集しなおされた再生順序PODTを保存する。
【００１２】
（c） MPEG1画像データ
図4はMPEG画像データの階層構造であり、シーケンス層、GOP層、ピクチャ層、スライス層、マクロブロック層、ブロック層の６層の階層構成を有している。シーケンス層はシーケンスヘッダSHとGOP（Group of Picture)で構成されている。シーケンスヘッダSHは画面フォーマットなどを指定するもので、シーケンス開始コードに続いて画面の水平サイズ、垂直サイズ、画素アスペクト比、ピクチャレート、ビットレート等の画像復号に必要なデータが記録されている。
GOP層は複数枚たとえば15枚のピクチャから構成され、各ピクチャにはＩ，Ｐ，Ｂの3種類がある。GOP層の開始コードの後には、タイムコードやクローズドGOPフラグなどが続き、以降に１５枚の各ピクチャが配列される。Ｉピクチャはフレーム内符号化画像であり、Ｉピクチャに対応する入力ピクチャ情報だけから符号化された画像で、フレーム間予測を用いずに生成される。このＩピクチャは独立して復号できる反面、データ量が最も多い。Ｐピクチャはフレーム間予測符号化画像であり、過去のＩまたはＰピクチャを基準に予測符号化されている。ＢピクチャはMPEG特有のピクチャであり、過去のＩまたはＰピクチャと未来のＩまたはＰピクチャの双方向からフレーム間予測符号化されており、データ量は少ない。ＰピクチャはＩピクチャとＢピクチャの中間のデータ量である。
ピクチャ層は、開始コードの後にGOP中の画面順を表示するテンポラル・リファレンス、ピクチャ・タイプなどが続き、その後に複数のスライスが配列される。スライスは開始コードを有する一連のデータ列の中の最小単位であり、任意の長さの（１６画素幅）マクロブロックＭＢの帯であり、ピクチャをまたがることはできない。
１画面は図5に示すように16×16画素よりなるマクロブロックに分割され、該マクロブロックの画像は図4の下方に示すように8×8の４つの輝度ブロック（1）〜（4）と8×8の色差ブロックＣｒ（5）と8×8の色差ブロックＣｂ（6）の６個のブロックで符号化される。Ｃｒは赤と輝度信号の差（Ｒ−Ｙ）であり、Ｃｂは青と輝度信号の差（Ｂ−Ｙ）である。画像データの圧縮符号化はDCTに基づいており輝度ブロックの平均明るさはDC成分により決定される。
【００１３】
（d）第1の処理フロー
図６は本発明の第1の処理フローであり、オープニング/エンディングの同一性に関係なく2回目以降のオープニング/エンディングの再生を省略する例である。
操作部71からオープニング/エンディングのスキップを指示する（ステップ101）。かかる状態において、DVDの再生が指示されると、システムコントローラ60はナビゲーションデータが指示するオープニングを再生するか決定する（ステップ102）。最初のオープニングであればその再生を行ってから本編の再生を開始し（ステップ103）、2回目以降のオープニングであればその再生を行わずスキップして本編の再生を開始する（ステップ104）。
本編の再生が終了すれば、システムコントローラ60はナビゲーションデータが指示するエンディングを再生するか決定する（ステップ105）。最初のエンディングであればその再生を行い（ステップ106）、2回目以降のエンディングであればその再生を行わずスキップする（ステップ107）。ついで、全編の再生が完了したかチェックし（ステップ108）、完了していればシステムコントローラ60はナビゲーションデータが指示する次のオープニングを再生するか決定し（ステップ102）、以降の処理を繰り返す。
なお、以上では2回目以降のオープニング/エンディングの再生を省略したが、最初のオープニング/エンディングの再生をも省略するようにもできる。
【００１４】
（e）第2の処理フロー
図7は本発明の第2の処理フローであり、最初と2回目以降のオープニング/エンディングの同一性を判定し、同一の場合には2回目以降のオープニング/エンディングをスキップし、同一でなければ2回目以降のオープニング/エンディングを再生する場合である。なお、操作部71からオープニング/エンディングのスキップが指示されているものとし、スキップが指示されていなければナビゲーションデータ通りの順序で再生を行う。また、図7ではオープニングの再生制御について説明しているが、エンディングの再生制御も同じに行うことができる。
まず、DVDからナビゲーションデータNVDTを読取ってRAM72に保存し、以後、該ナビゲーションデータに基づいて以降の再生順序編集処理を実行する（ステップ201）。
ついで、ナビゲーションデータNVDTが指示する第2話のオープニングアドレスが、該ナビゲーションデータNVDTが指示する第1話のオープニングアドレスと同じであるかチェックし（ステップ202）、同じであれば第2話以降のオープニングの再生を省略するように再生順編集データPODTを作成してRAM72に保存する（ステップ203）。第1話と第2話のオープニングドレスが一致する場合とは、図1のフォーマットでDVDが記録されていることを意味している。なお、各話毎に上記処理を行って最終話までの編集順序を決定してRAM72に保存するようにもできる。
一方、ステップ202オープニングアドレスが一致しなければ図2のフォーマットでDVDが記録されていることを意味している。かかる場合には、ナビゲーションデータを参照して、第1話と第2話のオープニングの再生時間が許容差範囲内で一致するかチェックし、許容差範囲内で一致しなければ、第2話のオープニングは異なるものとみなして第2話のオープニングの再生を行うように再生順序を編集してRAM72に保存し（ステップ211）、最終話のオープニングの処理が終了するまでステップ202以降の処理を繰り返す。
【００１５】
ステップ204において、オープニングの再生時間が許容差範囲内で一致すれば、オープニングの同一時刻における圧縮MPEG画像データが一致するかチェックし（ステップ205）、一致する場合にはオープニングが一致すると判定し、第2話の以降のオープニングの再生を省略するように再生順序を編集してRAM72に保存する（ステップ203）。なお、ステップ205において、１つの映像だけでなく複数の同一時刻の映像の圧縮データを抜き出し比較し、すべて一致する場合において一致すると判定することもできる。
ステップ205においてオープニングの再生時間が許容差範囲内で一致しなければ、エンコード時にノイズや丸め誤差により微妙にエンコードデーターが異なる場合があり、かかる可能性をチェックする。すなわち、所定時間間隔で複数画面のMPEGデータを第1、第2話の第1チャプター（オープニングチャプター）から抜き出し（ステップ206）、各チャプターの各画面それぞれにおいて、画面中央部分の複数個のマクロブロックのMPEG圧縮データを抜き出し（ステップ207）、ついでDC成分のみを逆量子化して各マクロブロックの平均輝度レベルを画面の輝度として計算し（ステップ208）、以後、各チャプターについて所定時間毎の画像の中央部分の平均輝度レベルの変化を取得する（ステップ209）。図８は各タイトル１〜３のチャプターにおける4画面の輝度レベル変化曲線である。
ついで、チャプタ間の各画面の輝度差を比較し（ステップ210）、小さければ（図8のタイトル1，2参照）、オープニングは同一であると判定し、第2話の以降のオープニングの再生を省略するように再生順序編集データPODTを作成してRAM72に保存する（ステップ203）。なお、各話毎に上記ステップ204以降の処理を行って最終話までの再生順序編集データPODTを作成してRAM72に保存するようにもできる。
【００１６】
一方、ステップ210において、輝度差が大きければ（図8のタイトル1，3参照）、第1話と第2話のオープニングは異なるものとみなして第2話のオープニングの再生を行うように再生順序を編集してRAM72に保存し（ステップ211）、最終話のオープニングの処理が終了するまでステップ202以降の処理を繰り返す。
以上、ステップ20６以降の処理を要約すれば、複数の時刻における画像データの中央部分の輝度レベルを求め、各時刻における画像データの中央部分の輝度レベルの差が小さければオープニングあるいはエンディングが一致すると判定し、輝度レベルの差が大きければオープニングあるいはエンディングは異なると判定する。
以上により、各話先頭部分が同一映像か否かの判定ができ、同一映像部分を自動的にスキップする事でオープニング映像を一枚のディスクで最初の一回目だけ再生するようにできる。
以上の説明では、記録媒体としてDVDの場合について説明したが本発明はDVDに限るものではなく通常の記録媒体、特にディスク形の記録媒体にも適用できるものである。
【図面の簡単な説明】
【００１７】
【図１】一話より最終話まで連続してオープニング、本編、エンディングの再生を指示するナビゲーションデータの例である。
【図２】一話より最終話まで連続してオープニング、本編、エンディングの再生を指示するナビゲーションデータの別の例である。
【図３】本発明のＤＶＤ再生装置の構成図である。
【図４】MPEG1画像データの階層構造である。
【図５】16×16画素よりなるマクロブロック説明図である。
【図６】本発明の第1の処理フローである。
【図７】本発明の第2の処理フローである。
【図８】各チャプターにおける4画面の輝度レベル変化曲線である。
【符号の説明】
【００１８】
５１  DVDオーディオディスク
５４  サーボ制御部
５７  デジタル信号処理部
５９  ストリーム分離及び解析部
６０  システムコントローラ
６３  ビデオデコーダ
６５  サブピクチャデコーダ
６９  ビデオエンコーダ
７０  表示デバイス
７１  操作部
７２  記憶部（RAM）
NVDT  ナビゲーションデータ
PODT  再生順編集データ
【図１】
2006324971.tif 000003
【図２】
2006324971.tif 000004
【図３】
2006324971.tif 000005
【図４】
2006324971.tif 000006
【図５】
2006324971.tif 000007
【図６】
2006324971.tif 000008
【図７】
2006324971.tif 000009
【図８】
2006324971.tif 000010